(57)【特許請求の範囲】
【請求項１】
口部を有するビン本体と、
ビン本体の口部に装着される乳首装置と、
口部と乳首装置との間に設けられた中蓋とを備え、中蓋は口部全域を覆う中蓋本体と、中蓋本体に一体に形成され、ビン本体側へ向かう凸形状を有する薄肉部とからなるとともに、薄肉部は中蓋の中央部に位置し、薄肉部の中心に切目が形成され、切目が形成された薄肉部によって外部からビン本体内への吸気のみを行なう一方向弁が構成されている、ことを特徴とする哺乳ビン。
【請求項２】
ビン本体はポリプロピレン製となっていることを特徴とする請求項１記載の哺乳ビン。
【請求項３】
中蓋に薄肉部の切目と平行に延びる溝を設けたことを特徴とする請求項１記載の哺乳ビン。
【請求項４】
ビン本体の口部の上端に内周から外周に向けて下方に傾斜した第１テーパ部が形成され、中蓋には第１テーパ部に対向する位置に第２テーパ部が形成されていることを特徴とする請求項１乃至請求項３のいずれかに記載の哺乳ビン。
【請求項５】
中蓋にビン本体の口部内面に当接する嵌合面が形成され、この嵌合面には嵌合面から半径方向内方へ引込む切欠きが形成されていることを特徴とする請求項１乃至４のいずれかに記載の哺乳ビン。
【発明の詳細な説明】
【０００１】
【発明の属する技術分野】
本発明はビン本体を有する哺乳ビンに係り、とりわけ熱湯ミルク等（内容物）の漏洩を防止することができかつビン本体の変形を未然に防止することができる哺乳ビンに関する。
【０００２】
【従来の技術】
従来より、ビン本体と、乳首とを有する哺乳ビンが知られている。このような哺乳ビンのビン本体はガラス又はポリカボネート等の硬質材料からなっているが、ビン本体を軟質材料のポリプロピレンから成形するものが開発されている。
【０００３】
【発明が解決しようとする問題点】
上述のように、ビン本体がポリプロピレンからなる哺乳ビンが開発されており、ビン本体と乳首との間にはビン本体内部のミルクが漏洩しないよう中蓋が配置されている。
【０００４】
しかしながら、使用に際しビン本体内に熱湯を注いで携帯する場合、熱湯が冷却するとビン本体内が負圧となり、軟質材料からなるビン本体がへこんで変形することがある。
【０００５】
本発明はこのような点を考慮してなされたものであり、軟質材料からなるビン本体を用いた場合でも、内容物の漏洩を防止することができかつビン本体の変形を防止することができる哺乳ビンを提供することを目的とする。
【０００６】
【課題を解決するための手段】
本発明は、口部を有するビン本体と、ビン本体の口部に装着される乳首装置と、口部と乳首装置との間に設けられた中蓋とを備え、中蓋は口部全域を覆う中蓋本体と、中蓋本体に一体に形成され、ビン本体側へ向かう凸形状を有する薄肉部とからなるとともに、薄肉部は中蓋の中央部に位置し、薄肉部の中心に切目が形成され、切目が形成された薄肉部によって外部からビン本体内への吸気のみを行なう一方向弁が構成されている、ことを特徴とする哺乳ビンである。
【０００７】
本発明によれば、ビン本体内に熱湯を充てんして、その後熱湯が冷却すると、ビン本体内が減圧される。この場合、一方向弁が開となって外部からの吸気が行なわれ、ビン本体内の圧力と外部の圧力が釣り合う。その後は、一方向弁が密閉されるためビン本体から内容物が漏洩することはない。
【０００８】
【発明の実施の形態】
以下、図面を参照して本発明の実施の形態について説明する。
【０００９】
図１乃至図３は本発明による哺乳ビンの第１の実施の形態を示す図である。図１乃至図３に示すように、哺乳ビン１０は熱湯ミルク等（内容物）を収納するとともに口部１２を有するビン本体１１と、ビン本体１１の口部１２に装着される乳首装置１３と、口部１２と乳首装置１３との間に配置される中蓋２０とを備えている（図２参照）。
【００１０】
このうちビン本体１１はポリプロピレン等の軟質材料からなり、口部１２にはおねじ１２ａが形成されている。また乳首装置１３は乳首１４と、この乳首１４を保持するとともに口部１２に装着される保持体１５とを有し、保持体１５の内面には口部１２のおねじ１２ａに係合するめねじ（図示せず）が形成されている。
【００１１】
なお乳首装置１３のうち乳首はシリコーンゴム製または天然ゴム製となっており、保持体１５はポリプロピレン製となっている。
【００１２】
さらに乳首装置１３を覆って透明カバー１７が設けられているが、この透明カバー１７は必ずしも設けなくてもよい。
【００１３】
また中蓋２０は、図１（ａ）〜（ｃ）および図３に示すように、中蓋本体２０ａからなり、中蓋本体２０ａの中央部には開口２３が形成されている。また中蓋本体２０ａに形成された開口２３は、外部からビン本体１１内への吸気のみを行なう一方向弁２２によって密封されている。この一方向弁２２は、中蓋本体２０ａと一体に形成されるとともに、ビン本体１１側（図１（ａ）〜（ｃ）の下側）へ向う凸形状を有する薄肉部からなっており、薄肉部２２の中心に切目２２ａが設けられている。
【００１４】
また中蓋２０の中蓋本体２０ａの周縁には、ビン本体１１の口部１２上端に係合して口部１２からの内容物の漏洩を防止する段部２１が形成されている。
【００１５】
このような構成からなる中蓋２０は、全体としてシリコーンゴム製となっている。また中蓋２０の表面側には「表」等の表示２５が設けられており、この表示２５は中蓋２０を口部１２へ装着する際の装着方向を示すものである。
【００１６】
次にこのような構成からなる本実施の形態の作用について説明する。
例えば、携行する場合にビン本体１１内に予じめ熱湯を入れ、次にビン本体１１の口部１２上端に中蓋２０を配置し、その後口部１２に乳首装置１３を装着する。さらに、乳首装置１３を覆って透明カバー１７が取付けられ、哺乳ビン１０は携行できる状態となる。
【００１７】
中蓋２０は通常時は図１（ａ）に示す状態となっており、一方向弁２２は密閉状態となっている。ビン本体１１内に熱湯が充てんされた段階では、図１（ｂ）に示すようにビン本体１１内が外部に対して高圧となり、中蓋１１はビン本体１１の外方へ（図１（ｂ）の上側へ）押圧されて一方向弁２２がより密閉される。
【００１８】
熱湯が冷却すると図１（ｃ）に示すように、ビン本体１１内が減圧され、中蓋１１はビン本体１１の内方へ（図１（ｃ）の下側へ）押圧されて一方向弁２２が開口する。このとき、外部からビン本体１１内へ空気が吸気され、ビン本体１１内の圧力が外部の圧力に釣り合うと、中蓋１１は図１（ａ）の状態に戻り、一方向弁２２が密閉される。
【００１９】
哺乳ビン１０を持ち運びする際、哺乳ビンを横転しても、ビン本体１１の口部１２に取り付けられた中蓋２０の一方向弁２２が密閉されているので、ビン本体１１内の内容物が外方へ漏洩することはない。またビン本体１１内に熱湯を充てんし、その後ビン本体１１内が減圧した場合、中蓋２０の一方向弁２２が開となって外部からの吸気が行なわれるので、ビン本体１１が減圧により変形することはない。
【００２０】
また、外出中に調乳する場合には、ある程度冷めたお湯に粉乳を入れることにより、容易に調乳することができる。
【００２１】
乳児がビン本体１１内の内容物を吸引する場合、口部１２から乳首装置１３を取外した後中蓋２０を取外し、その後乳首装置１３を再び口部１２へ装着する。
【００２２】
その後乳児がビン本体１１内の内容物を乳首装置１３の乳首１４から吸引する。
【００２３】
図４および図５は、哺乳ビン１０の第２の実施形態について説明する図である。
図４および図５に示すように、中蓋２０の中蓋本体２０ａ表面に切目２２ａと平行に直線状に延びる溝２６ａ、２６ｂ、２６ｃを複数、例えば３本設けてもよい。３本の溝２６ａ、２６ｂ、２６ｃのうち、１本の溝２６ａは切目２２ａと略同一直線上に配置され、他の２本の溝２６ｂ、２６ｃは切目２２ａの近傍に、切目２２ａと平行に配置されている。
【００２４】
このように中蓋２０に３本の溝２６ａ、２６ｂ、２６ｃを設けることにより、一方向弁２２の切目２２ａの開動作をより確実に行なうことができる。
【００２５】
なお、この溝２６ａ，２６ｂ，２６ｃは必ずしも３本である必要はなく、１本、２本、４本、５本等、適宜設定するようにしても良い。
【００２６】
次に図６により本発明による哺乳ビン１０の第３の実施形態について説明する。図６は哺乳ビン１０で使用される中蓋２０を示す図である。図６に示すように、哺乳ビン１０の口部１２の上端に第１テーパ部１２ｂが内周から外周に向けて下方へ向かって傾斜するように形成されている。すなわち、この第１テーパ部１２ｂは内周側が外周側よりも高く設定されている。また、中蓋本体２０ａに形成された段部２１には、第１テーパ部１２ｂに対応する第２テーパ部２１ａが形成されている。また段部２１には、口部１２の内面に当接する嵌合面２１ｂが形成されている。
【００２７】
第１テーパ部１２ｂおよび第２テーパ部２１ａにより、中蓋本体２０ａが哺乳ビン１０内に入り込んでしまうことを防止することができる。特に、ビン本体１１内に内容物を入れ、中蓋２０を被せ、乳首装置１３を口部１２に回転させながら装着する際、シリコーンゴム製の乳首１４と、シリコーンゴム製の中蓋２０とが接触し、乳首装置１３の回転中に中蓋２０が回転し捩れることがある。この場合、中蓋２０は、所定の形状を保持することができず、内容物の漏れ等の原因となってしまう。
【００２８】
しかしながら、本実施形態によれば、第１テーパ部１２ｂと第２テーパ部２１ａにより、中蓋２０はしっかりと口部１２に固定されているので、中蓋２０が回転し捩れるのを防止することができ、ひいては、内容物の漏れ等をより有効に防止することができる。なお、図６に示す本実施の形態において、図１乃至図５に示す各実施の形態と同一部分には同一符号を符して詳細な説明は省略する。
【００２９】
次に図７により本発明による哺乳ビン１０の第４の実施の形態について説明する。
図７（ａ）は中蓋２０を裏側からみた図であり、図７（ｂ）はその側断面図である。
【００３０】
図７（ａ）（ｂ）に示すように、中蓋本体２０ａにはビン本体１１の口部１２上端に係合する段部２１が形成されている。この段部２１には第３の実施の形態と同様、口部１２側の第１テーパ部１２ｂに係合する第２テーパ部２１ａが形成されている。また段部２１には口部１２の内面に当接する嵌合面２１ｂが形成され、この嵌合面２１ｂには、嵌合面２１ｂから半径方向内方へ引込む４個の切欠き２１ｃ，２１ｃ，２１ｃ，２１ｃが設けられている。また中蓋本体２０ａには溝２６ａが切目２２ａと略同一直線上に設けられている。
【００３１】
図７（ａ）（ｂ）において、ビン本体１１内に内容物を入れ、中蓋２０を被せると、ビン本体１１内の空気が熱せられ、ビン本体１１内の圧力が高まる。このとき、ビン本体１１内の圧力が高くなることにより、中蓋２０が口部１２から外れることがあるが、切欠き２１ｃを形成することにより、ビン本体１１内の空気が外部に逃げる。これによりビン本体１１内の圧力の高騰をある程度制限することができ、中蓋２０が口部１２から外れるのを有効に防止することができる。
【００３２】
なお、この切欠き２１ｃの寸法は適宜設定されるものである。この寸法の設定については、中蓋２０の弾性を利用して、内容物の液漏れを防止でき、かつ内容物を封入した後の圧力の逃げを有効に行うことができるように設定されている。
なお、図７に示す本実施の形態において、図１乃至図５に示す各実施の形態と同一部分には同一符号を符して詳細な説明は省略する。
【００３３】
【発明の効果】
以上のように本発明によれば、ビン本体内の熱湯が冷却されてビン本体内が減圧された場合、一方向弁が開となってビン本体の圧力と外部の圧力が釣り合うので、ビン本体が変形することはない。その後、一方向弁が密閉されるため、ビン本体から内容物が外部へ漏洩することはない。
【図面の簡単な説明】
【図１】本発明による哺乳ビンの中蓋を示す図。
【図２】本発明による哺乳ビンの第１の実施の形態を示す図。
【図３】中蓋を示す平面図。
【図４】哺乳ビンの第２の実施の形態における中蓋を示す図。
【図５】図４に示す中蓋を示す平面図。
【図６】哺乳ビンの第３の実施の形態における中蓋を示す図。
【図７】哺乳ビンの第４の実施の形態における中蓋を示す図。
【符号の説明】
１０  哺乳ビン
１１  ビン本体
１２  口部
１２ａ  おねじ
１２ｂ  第１テーパ部
１３  乳首装置
１４  乳首
１５  保持体
２０  中蓋
２０ａ  中蓋本体
２１  段部
２１ａ  第２テーパ部
２１ｂ  嵌合面
２１ｃ  切欠き
２２  一方向弁
２２ａ  切目
【図１】
0004566371.tif 000002
【図２】
0004566371.tif 000003
【図３】
0004566371.tif 000004
【図４】
0004566371.tif 000005
【図５】
0004566371.tif 000006
【図６】
0004566371.tif 000007
【図７】
0004566371.tif 000008